(57)【要約】      （修正有）【課題】放送される画像の異常を自動的に確認できる画像監視システムを提供する。【解決手段】画像データを記録する第１の記録部を有する第１の画像サーバ装置と、上記第１の画像サーバ装置からの画像データを供給される送出装置と、上記第１の画像サーバ装置および上記送出装置を制御する送出制御部および上記第１の画像サーバ装置から出力される画像データを供給される異常判定部からなり、上記異常判定部は、上記画像データの異常を検出する異常検出部および異常状態判定部からなり、上記異常状態判定部は、上記異常検出部からの異常信号のレベルが所定値以上になると異常情報を出力するように構成される。【選択図】図１
2007028299.tif 000002
【特許請求の範囲】
【請求項１】
画像データを記録する第１の記録部を有する第１の画像サーバ装置と、上記第１の画像サーバ装置からの画像データが供給される送出装置と、上記第１の画像サーバ装置および上記送出装置を制御する送出制御部および上記第１の画像サーバ装置から出力される画像データが供給される異常判定部からなり、上記異常判定部は、上記画像データの異常を検出する異常検出部および異常状態判定部からなり、上記異常状態判定部は、上記異常検出部からの異常信号のレベルが所定値以上になると異常情報を出力するように構成されていることを特徴とする画像監視システム。
【請求項２】
番組素材供給部と、上記番組素材供給部からの画像データを記録する第１の記録部を有する第１の画像サーバ装置および上記番組素材供給部からの画像データが印加される異常判定部からなり、上記異常判定部は、上記画像データの異常を検出する異常検出部および異常状態判定部からなり、上記異常状態判定部は、上記異常検出部からの異常信号のレベルが所定値以上になると異常情報を出力するように構成され、上記異常情報が上記第１の画像サーバ装置の上記第１の記録部に上記番組素材供給部からの画像データと共に記録されることを特徴とする画像監視システム。
【請求項３】
画像データを記録する第１の記録部を有する第１の画像サーバ装置と、上記第１の画像サーバ装置からの画像データが供給される送出装置と、上記第１の画像サーバ装置および上記送出装置を制御する送出制御部および上記第１の画像サーバ装置から出力される画像データが供給される異常判定部からなり、上記第１の記録部には、上記画像データと上記画像データの異常情報とが記録され、上記異常判定部は、上記画像データの異常を検出する異常検出部、異常状態判定部および異常情報検出部からなり、上記第１の画像サーバ装置からの画像データは、上記異常検出部および上記異常状態判定部で異常の有無が検出され、上記異常情報検出部で上記第１の画像サーバ装置からの上記異常情報を検出するように構成されていることを特徴とする画像監視システム。
【請求項４】
画像データを記録する第１の記録部を有する第１の画像サーバ装置と、上記画像データを記録する第２の記録部を有する第２の画像サーバ装置と、上記第１と第２の画像サーバ装置からの画像データを切替える選択手段と、上記選択手段の出力が供給される送出装置と、上記第１と第２の画像サーバ装置、上記選択手段および上記送出装置を制御する送出制御部および上記第１と第２の画像サーバ装置から出力される画像データが供給される異常判定部からなり、上記異常判定部は、比較部および所定レベルの閾値を設定する閾値設定部を有し、上記比較部は、上記第１と第２の画像サーバ装置から出力される画像データを比較演算し、上記比較演算の結果が上記閾値を超える場合、上記異常判定部は、異常情報を出力することを特徴とする画像監視システム。
【発明の詳細な説明】
【技術分野】
【０００１】
本発明は、画像監視システムに関し、特に、番組等を自動的に送出する場合、送出する画像を自動的に監視する画像監視システムに関するものである。
【背景技術】
【０００２】
放送番組の制作から送出までの大まかな流れは、例えば、番組の構成を計画し、その計画に従って適切な素材を集めて放送番組の画像サーバ装置（収録装置）に収録する。そして、番組放送スケジュールに基づいて各番組素材を画像サーバ装置から読み出して送出装置から送出するというものである。この場合、番組素材の供給は、磁気テープ等の記録媒体を用いて行われる場合と通信回線を介して行われる場合等がある。前者の場合は、例えば、ビデオカメラで撮影された放送素材やこれら放送素材を加工、編集したものを記録した記録媒体を放送局に持ち込む等による供給であり、後者の場合は、例えば、カメラで撮影された映像やＣＭ製作スタジオ等からの通信伝送路による放送素材の供給である。
【０００３】
近年、テレビジョン放送システムのディジタル化が急速に発展するにつれ、画像サーバ装置に収録された番組素材を送出装置で送出するシステムは、従来のＶＴＲ(ビデオテープレコーダ)を用いて放送業務を行う放送システム、いわゆるＶＴＲ放送システムからノンリニア放送システムと呼ばれるシステムが放送業務用として使用され始めてきている（例えば、特許文献１参照）。
【０００４】
このノンリニア放送システムは、複数の番組素材を、ランダムアクセスが可能な記憶装置に予め記録しておき、自動放送システムからの指示により、順次、放送スケジュールに従って、各番組素材ごとに選択して読出すことにより、複数の番組素材が所定の順序で時系列的に並んだ放送プログラムとして組立てられるようにし、これを放送するようにしたシステムである。ここで、番組素材とは、映像情報と音声情報等のうち、少なくとも映像情報を含むテレビジョン放送用の情報のことを指し、従って、番組素材の集合が番組となる。
【０００５】
ノンリニア放送システムとしては、従来から、例えば図１２に示す放送システムが用いられている。以下このノンリニア放送システムについて簡単に説明する。図１２において、１２０１は、放送管理コンピュータ、１２０２は、自動放送システム（ＡＰＳ）である。この自動放送システム１２０２には、送出制御部１２０３と、収録素材のデータベース１２０４、モニタ１２０５および送出装置１２０６が備えられている。収録素材のデータベース１２０４は、多数の番組素材１２０７を適宜収録し、また、送出制御部１２０３の制御により収録素材のデータベース１２０４に収録された多数の番組素材から適宜読み出され、例えば、放送のために送出装置１２０６に供給され、送出制御部１２０３の制御に基づいて家庭等に送出される。
【０００６】
放送管理コンピュータ１２０１は、放送業務に関する全てのデータを管理する働きをするもので、その処理の一環として、例えば、１日分あるいは１週間分の放送プログラムに必要な複数の素材の放送スケジュールを、対応する素材のそれぞれが放送される順番に収録されている放送進行データとして保持し、それを自動放送システム１２０２に供給する処理を行う。図１５は、例えば、１日分の放送プログラムに必要な複数の素材の放送スケジュール表の一部を例示するもので、時間は、ある日の放送開始の時間、例えば、１２時、００分、００秒を表し、番組の長さは、その番組の放送時間、例えば、１５秒間を表す。素材ＩＤは、例えば、番組素材を特定するためのＩＤ番号で、Ａ社のＣＭの場合、ＡＣ１で示されている。番組の内容は、例えば、Ａ社のＣＭというタイトルを表す。番地は、その放送の番組素材が格納されている収録素材のデータベース１２０４の収録番地を示している。このような内容が各時間毎に放送スケジュールとして前もって計画し、作成されている。
【０００７】
自動放送システム１２０２は、図１５で示す放送スケジュール表に従って、まず、各々の素材の放送開始時刻の所定時間前になったとき、その素材の素材ＩＤ(素材に対する識別コード)を送出制御部１２０３に供給する。次に、各々の素材の放送開始時刻になったとき、その素材の放送開始命令を送出制御部１２０３に供給する。収録素材のデータベース１２０４は、磁気ディスク装置、光ディスク装置、ＤＶＤ（Digital Versatile Disk）装置等のランダムアクセスが可能な記録装置で構成され、例えば、放送プログラム１日分あるいは１週間分の素材を予め格納保持すると共に、送出制御部１２０３の制御のもとで動作するようになっている。従って、送出制御部１２０３は、自動放送システム１２０２から供給された素材ＩＤを用いて収録素材のデータベース１２０４内の素材を検索し、キューアップ(放送開始可能状態にすること)し、素材の放送開始命令に応じて、順次、キューアップされた素材を収録素材のデータベース１２０４から読み出して送出装置１２０６に送出する働きをすることになり、これにより自動放送システムとしての動作を行なう。
【０００８】
モニタ１２０５は、自動放送システム１２０２により制御され、放送業務の現在の進行状況を表示する働きをする。このモニタ１２０５には、例えば、現在放送している素材を含む番組(複数の素材の集合)の識別コード、番組名、放送開始時刻、素材の長さ、素材の識別コード等、現在放送中の素材のデータ及び次に放送する予定の素材のデータなどが表示される。従って、このノンリニア放送システムによれば、モニタ１２０５を見ることにより、放送プログラムが予定通りに進んでいるか否かを知り、放送進行状況を確認することができる。
【０００９】
而して、上述のような放送システムにおいて、放送される番組の画像、画質あるいは音質等の異常の有無の確認は、従来、例えば、放送局内の送出部門に多数設置されたモニタ１２０５をオペレータである局員により確認するか、放送された画像を見た視聴者からの指摘等により確認する等、人が番組の内容を見て異常の有無の確認を行っているのが現状である。なお、異常とは、通信システムの異常、データベースの異常あるいはデータベースに対する編集操作による異常等により発生する収録データや送出データの各種不具合を意味する。
【００１０】
また、異常が発見された場合、それに素早く対応するシステムとして２重系を構成するシステムも提案されている。図１３は、２重系の放送システムの概略構成を示すブロック図である。なお、図１３は、図１２に示す放送システムの送出制御部１２０３、収録素材のデータベース１２０４および送出装置１２０６に対応する部分のみを示している。図１３において、１０４は、送出制御部を示し、送出制御部１２０３に対応する。現用系画像サーバ装置１０２、予備系画像サーバ装置１０８および選択部１０５は、収録素材のデータベース１２０４に対応するが、図１３では、２重系を構成している。送出装置１０６は、送出装置１２０６に対応する。
【００１１】
図１３に示す放送システムの動作を簡単に説明する。入力端子１０１、１０７には、番組素材が供給される。即ち、先に説明したようにビデオカメラで撮影された放送素材やこれら放送素材を加工、編集したものを記録した記録媒体、あるいは、カメラで撮影された映像やＣＭ製作スタジオ等からの通信伝送路による放送素材が供給される。そして、それぞれの入力端子には全く同じ放送素材が供給され、画像サーバ装置１０２の記憶部１０３および画像サーバ装置１０８の記憶部１０９に同じ放送素材が記憶される。なお、各画像サーバ装置の記憶部には、例えば、図１５で説明したような内容で各時間毎に放送スケジュールとして前もって計画し、作成されている。なお、番組の内容に応じた画像や音声等も合わせて記憶される。
【００１２】
そして、自動放送システム１２０２からの放送開始命令に従って送出制御部１０４は、まず、選択部１０５の端子ａ側を選択し、現用系画像サーバ装置１０２を駆動し、記録部１０３に記録されている放送素材を読出し、送出装置１０６に出力する。これによって番組が放送される。なお、この時、予備系画像サーバ装置１０８も同様に駆動される。この状態で、例えば、モニタ１２０５を監視していたオペレータが、画像あるいは音声等に異常があることを発見すると、送出制御部１０４の操作部（図示せず。）を操作して選択部１０５を制御して端子ｂ側に切替える。これによって予備系画像サーバ装置１０８の記録部１０９から放送素材が読出され、送出装置１０６に供給される。２台の画像サーバ装置１０２および１０８は、同時に駆動されているので、選択部１０５の切替によって予備系画像サーバ装置１０８の放送素材が読出され、放送されるので、異常な画像あるいは音声を修復することができる。
【００１３】
図１４は、他の一例を示す図であって、１１０は、異常検出部、１１１は、異常検出信号の出力端子である。なお、図１３と同じものには同じ符号が付されている。ここで、異常検出部１１０の動作を説明する。異常検出部１１０には、現用系画像サーバ装置１０２からの画像信号と予備系画像サーバ装置１０８からの画像信号が供給されている。異常検出部１１０では、現用系画像サーバ装置１０２からの画像信号と予備系画像サーバ装置１０８からの画像信号が比較され、異常が検出されると異常信号が異常信号出力端子１１１から出力される。即ち、現用系画像サーバ装置１０２の記録部１０３と予備系画像サーバ装置１０８の記録部１０９には、同一の放送素材が収録され、かつ、現用系画像サーバ装置１０２および予備系画像サーバ装置１０８は、同じように駆動されているので、両サーバ装置が正常であれば、出力映像は、同じである。従って、異常検出部１１０は、何等の異常も検出しないので、異常信号出力端子１１１から異常信号が出力されることはない。しかしながら、いずれかの画像サーバ装置に異常が発生すると、異常検出部１１０は、異常が発生したことを検出し、異常信号出力端子１１１から異常信号を出力する。従って、この異常信号で警報等を鳴らすことで異常をオペレータに知れせることができ、オペレータは、選択部１０５を操作して現在動作している現用系画像サーバ装置１０２から予備系画像サーバ装置１０８に切替えて、正常な放送を続けることが可能となる。
【００１４】
しかしながらこの場合、異常の状態を判断するためには、常に係員がモニタを監視したり、警報に注意していなければならず、切替の判断等が必要となり、また、切替の操作のための時間がかかる場合もある。更に、放送の演出や効果のために無音画像、黒味画像、静止画像、ストップモーション、早い動きの画像等、いままでの放送では、ＶＴＲ等の送出装置などの故障により送出されてしまうような画像が、放送の演出や効果のための映像として用いられる場合が多くなってきており、画像の異常なのか、あるいは正常な画像なのかを目視で判断することが難しい場合が増えてきている。従って、これらに対応できる画像監視システムの実現が望まれている。
【００１５】
【特許文献１】特開２０００−２０１１２１号公報
【発明の開示】
【発明が解決しようとする課題】
【００１６】
従来の放送システムでは、異常の状態を判断するためには、常に係員がモニタを監視していなければならず、切替の操作のための時間がかかる。また、放送の演出や効果のために無音画像、黒味画像、静止画像、ストップモーション、早い動きの画像等、従来、ＶＴＲ等の送出装置などの故障により送出されてしまうような画像が、現在では、放送の演出や効果のための映像として用いられる場合が多く、画像の異常なのか、正常な画像なのかを目視で判断することが難しい場合が増えてきている。
【００１７】
本発明の目的は、放送される画像の異常を自動的に確認できる画像監視システムを提供することである。
【００１８】
本発明の他の目的は、放送の演出や効果のための画像を異常と判断しない画像監視システムを提供することである。
【００１９】
本発明の他の目的は、画像サーバ装置を２重系で構成し、画像に異常を検出した場合、自動的に他方に切替えが可能な画像監視システムを提供することである。
【００２０】
本発明の更に他の目的は、画像に異常を検出した場合、警報を出すことができる画像監視システムを提供することである。
【課題を解決するための手段】
【００２１】
本発明の画像監視システムは、画像データを記録する第１の記録部を有する第１の画像サーバ装置と、上記第１の画像サーバ装置からの画像データが供給される送出装置と、上記第１の画像サーバ装置および上記送出装置を制御する送出制御部および上記第１の画像サーバ装置から出力される画像データが供給される異常判定部からなり、上記異常判定部は、上記画像データの異常を検出する異常検出部および異常状態判定部からなり、上記異常状態判定部は、上記異常検出部からの異常信号のレベルが所定値以上になると異常情報を出力するように構成される。
【００２２】
また、本発明の画像監視システムにおいて、上記異常判定部からの上記異常情報が上記送出制御部に印加され、上記送出制御部は、上記異常情報に基づいて少なくとも上記送出装置を制御するように構成される。
【００２３】
また、本発明の画像監視システムにおいて、上記異常判定部は、同期異常検出部、音声ＣＲＣエラー検出部、黒味画像検出部、白味画像検出部、フリーズ画像検出部、映像ノイズ検出部、無音検出部および音声ノイズ検出部の少なくとも１つ、または、それらを組合わせた異常検出部で構成される。
【００２４】
また、本発明の画像監視システムにおいて、更に、上記画像データを記録する第２の記録部を有する第２の画像サーバ装置と、上記第１と第２の画像サーバ装置からの画像データを上記送出装置および上記異常判定部にそれぞれ切替えて送出する選択手段とを有し、上記異常情報に基づいて上記送出制御部は、少なくとも上記選択手段を切替えるように構成される。
【００２５】
また、本発明の画像監視システムは、番組素材供給部と、上記番組素材供給部からの画像データを記録する第１の記録部を有する第１の画像サーバ装置および上記番組素材供給部からの画像データが印加される異常判定部からなり、上記異常判定部は、上記画像データの異常を検出する異常検出部および異常状態判定部からなり、上記異常状態判定部は、上記異常検出部からの異常信号のレベルが所定値以上になると異常情報を出力するように構成され、上記異常情報が上記第１の画像サーバ装置の上記第１の記録部に上記番組素材供給部からの画像データと共に記録されるように構成される。
【００２６】
また、本発明の画像監視システムにおいて、上記異常判定部は、更に、タイムコード発生手段を有し、上記異常情報を上記第１の画像サーバ装置の上記第１の記録部に記録する場合、上記タイムコード発生手段からのタイムコードを付して記録するように構成される。
【００２７】
また、本発明の画像監視システムにおいて、更に、データ多重化部を具え、上記番組素材供給部からの画像データは、ＨＤ−ＳＤＩ方式のフォーマットの番組素材、または、ＳＤ−ＳＤＩ方式のフォーマットの番組素材であり、上記異常情報は、上記データ多重化部で上記画像データに重畳され、上記第１の画像サーバ装置の上記第１の記録部に記録されるように構成される。
【００２８】
また、本発明の画像監視システムは、画像データを記録する第１の記録部を有する第１の画像サーバ装置と、上記第１の画像サーバ装置からの画像データが供給される送出装置と、上記第１の画像サーバ装置および上記送出装置を制御する送出制御部および上記第１の画像サーバ装置から出力される画像データが供給される異常判定部からなり、上記第１の記録部には、上記画像データと上記画像データの異常情報とが記録され、上記異常判定部は、上記画像データの異常を検出する異常検出部、異常状態判定部および異常情報検出部からなり、上記第１の画像サーバ装置からの画像データは、上記異常検出部および上記異常状態判定部で異常の有無が検出され、上記異常情報検出部で上記第１の画像サーバ装置からの上記異常情報を検出するように構成される。
【００２９】
また、本発明の画像監視システムにおいて、上記異常判定部は、更に、異常有無設定部を具え、上記異常有無設定部は、上記画像データの内、異常でない画像データに所定のフラグを設定し、少なくとも上記異常検出部で検出される異常情報の内、上記所定のフラグを設定された画像データは、上記異常判定部から異常情報を出力しないように構成される。
【００３０】
更に、本発明の画像監視システムは、画像データを記録する第１の記録部を有する第１の画像サーバ装置と、上記画像データを記録する第２の記録部を有する第２の画像サーバ装置と、上記第１と第２の画像サーバ装置からの画像データを切替える選択手段と、上記選択手段の出力が供給される送出装置と、上記第１と第２の画像サーバ装置、上記選択手段および上記送出装置を制御する送出制御部および上記第１と第２の画像サーバ装置から出力される画像データが供給される異常判定部からなり、上記異常判定部は、比較部および所定レベルの閾値を設定する閾値設定部を有し、上記比較部は、上記第１と第２の画像サーバ装置から出力される画像データを比較演算し、上記比較演算の結果が上記閾値を超える場合、上記異常判定部は、異常情報を出力するように構成される。
【００３１】
また、本発明の画像監視システムにおいて、上記異常判定部からの異常情報を上記送出制御部に供給し、上記送出制御部は、上記異常情報に基づいて少なくとも上記選択手段を切替えるように構成される。
【発明の効果】
【００３２】
以上説明したように、本発明によれば放送される画像の異常を自動的に確認できるので、オペレータがモニタで常に監視する必要がない。また、異常画面がオンエアされることがなくなる。また、放送の演出や効果のために使用される特殊な画像が異常と判断されないため、真の画像の異常検出と演出や効果等による特殊な画面との見分けが容易となり、異常画像の検出精度が向上する。特に、真の異常検出のみ警報を出す事が出来るようになるため、誤報による調査時間等を費やすことがない。更に、画像サーバ装置を２重系で構成し、画像に異常を検出した場合、自動的に他方に切替えが可能な画像監視システムが実現できる。
【発明を実施するための最良の形態】
【００３３】
図１は、本発明の一実施例の概略構成を示すブロック図である。なお、図１に示す一実施例は、画像監視システム（放送システムとも言う。）の一部分を示すもので、全体の画像監視システムについては、図１２に示す放送システムと同じであるので、詳細な説明は省略する。以後の各実施例についても同様である。また、図１２に示す放送システムは、例えば、ノンリニア放送システムとして説明しているが、本発明は、ノンリニア放送システムに限定されるものではなく、各種の放送システム、例えば、ＶＴＲ放送システムにも適用できることは言うまでもない。
【００３４】
図１は、本発明の原理を説明するための概略構成を示すブロック図であり、画像サーバ装置１０２が１台の場合を示している。図１において、１２０は、異常判定部、１２１は、異常検出信号出力端子である。なお、図１３と同じものには、同じ符号が付されている。入力端子１０１には、前述したように番組の収録のための番組素材が供給され、画像サーバ装置１０２の記憶部１０３に放送素材が記憶される。ここで放送素材とは、動画、静止画、アニメーション、音声、音楽、擬音等の種々の放送素材が存在するが、これらを総称して画像データと称することにする。なお、画像サーバ装置１０２の記憶部１０３には、例えば、図１５で説明したような内容で各時間毎に放送スケジュールとして前もって計画し、作成されている。また、番組の内容に応じた画像データも合わせて記憶されている。また、本実施例では、記憶部１０３は、画像サーバ装置１０２と一体に構成された場合を示しているが、別に構成することもできる。また、記憶部１０３は、磁気ディスク装置、光ディスク装置、ＤＶＤ（Digital Versatile Disk）装置、磁気テープ、半導体記憶装置等の各種記憶装置が使用可能である。更に、本実施例の考え方は、アナログ方式およびデジタル方式のいずれにも適応できることは言うまでもない。以下の各実施例においても同様である。
【００３５】
そして、自動放送システム１２０２からの放送開始命令に従って送出制御部１０４は、画像サーバ装置１０２を駆動し、記録部１０３に記録されている画像データを読出し、送出装置１０６に出力する。これによって番組が放送される。一方、記録部１０３から読み出された画像データは、異常判定部１２０（これについては、図２で説明する。）に供給され、放送されている画像データに異常がないかどうかを監視している。そして、異常が検出されると、異常検出信号出力端子１２１から異常信号を出力し、警報を鳴らしてオペレータに知らせたり、あるいは、送出制御部１０４に異常を知らせる。送出制御部１０４は、この異常信号を受信すると、送出装置１０６を制御し、放送を中止し、例えば、別の放送に切替えたり、前もって用意した画像データを画像サーバ装置１０２からの画像データに代えて放送する等の処置を行う。
【００３６】
図２は、本発明に使用される異常判定部１２０の具体的構成を示すブロック図である。図２において、２１０は、画像サーバ装置１０２からの画像データが供給される入力端子である。２１１は、同期異常検出部、２１２は、音声ＣＲＣ（Cyclic Redundancy Check）エラー検出部、２１３は、黒味画像検出部、２１４は、白味画像検出部、２１５は、フリーズ画像検出部、２１６は、映像ノイズ検出部、２１７は、無音検出部、２１８は、音声ノイズ検出部、２１９は、外部回路と接続するためのインターフェース（Ｉ／Ｆ）、２２０は、異常状態判定部、２２１は、異常信号出力端子である。以下、これらについて詳細に説明する。
【００３７】
同期異常検出部２１１は、入力端子２１０から供給される画像データ、例えば、テレビジョンのＮＩＳＣ方式で送られてくる水平同期信号あるいは垂直同期信号の異常、例えば、水平同期信号あるいは垂直同期信号が欠如している場合とか、同期信号のレベルが所定のレベル以下（例えば、５０％以下）の場合等である。垂直同期信号の異常は、画像のフレーム同期がとれないし、また、水平同期信号の異常は、画像の走査線の同期がとれない。従って、画像が正しく再生されないので、このような異常が発生すると、同期異常検出部２１１は、異常信号をインターフェース２１９を介して異常信号出力端子２２１に出力する。
【００３８】
音声ＣＲＣエラー検出部２１２は、画像データを符号化して外部記憶部に記憶する場合あるいはそれらを伝送路を介して伝送する場合の誤り検出を行う。音声をブロック分けし、符号化した場合、例えば、音声を１秒間に１０,０００ブロックに分け、符号化した場合、１０,０００ブロック中、例えば、５ブロック以上に誤りが検出された場合は、音声符号化不良と判断し、異常信号をインターフェース２１９を介して異常信号出力端子２２１に出力する。
【００３９】
黒味画像検出部２１３は、画像データの例えば、輝度信号が黒レベルの状態を検出し、異常信号を出力する。例えば、テレビジョンのＮＴＳＣ方式では、６０フィールド／秒（３０フレーム／秒）で画像データが送られてくるが、特定のフィールドが真っ黒（輝度信号が黒レベルの状態を言う。）であったり、あるいは、１フィールド中のある特定の部分（１フィールド内の特定の範囲）が真っ黒の状態を検出する場合等は、画像データに異常ありと判断する。しかしながら、実際の装置では、画像データが真っ黒である場合は、黒味画像検出部２１３で容易に検出が可能であるが、真っ黒な画像以外に画像がグレーであるような場合もあり、このような画像も異常と判断することが要求される。従って、異常状態判定部２２０は、上記のような真っ黒な画像以外のグレーのような画像も異常と判断するための閾値Ｔ１を設けるためのものである。従って、この閾値Ｔ１を適宜調節することによって、例えば、グレーの程度に応じて異常な画面か、異常でない画面かを判断できる。なお、閾値Ｔ１は、前もって適宜実験的に定めることは言うまでもない。なお、上記の場合は輝度信号のレベルで閾値Ｔ１を設定したが、他の方法として、真っ黒な画像あるいはグレーの画像が所定時間あるいは所定数のフィールド（または所定数のフレーム）Ｈ１だけ連続した場合、異常と判断することもできる。この場合は、異常状態判定部２２０には、所定のＨ１を設定することによって所望の範囲の異常のみを検出することが可能である。
【００４０】
白味画像検出部２１４は、  画像データの例えば、輝度信号が白レベルの状態を検出し、異常信号を出力する。例えば、テレビジョンのＮＴＳＣ方式では、６０フィールド／秒（３０フレーム／秒）で画像データが送られてくるが、特定のフィールドが真っ白（輝度信号が白レベルの状態を言う。）であったり、あるいは、１フィールド中のある特定の部分（１フィールド内の特定の範囲）が真っ白の状態を検出する場合等は、画像データに異常ありと判断する。しかしながら、実際の装置では、画像データが真っ白である場合は、白味画像検出部２１３で容易に検出が可能であるが、真っ白な画像以外に画像が薄いグレーであるような場合もあり、このような画像も異常と判断することが要求される。従って、異常状態判定部２２０は、上記のような真っ白な画像以外の薄いグレーのような画像も異常と判断するための閾値Ｔ２を設けるためのものである。従って、この閾値Ｔ２を適宜調節することによって、例えば、薄いグレーの程度に応じて異常な画面か、異常でない画面かを判断できる。なお、閾値Ｔ２は、前もって適宜実験的に定めることは言うまでもない。なお、上記の場合は輝度信号のレベルで閾値Ｔ２を設定したが、他の方法として、真っ白な画像あるいは薄いグレーの画像が所定時間あるいは所定数のフィールド（または所定数のフレーム）Ｈ２だけ連続した場合、異常と判断することもできる。この場合は、異常状態判定部２２０には、所定のＨ２を設定することによって所望の範囲の異常のみを検出することが可能である。
【００４１】
フリーズ画像検出部２１５は、画像サーバ装置１０２から送られていくる画像データがフリーズした場合を検出する。これは画像データが何らかのトラブルで送られていなかったり場合、あるいは、画像データがデジタルデータの場合、信号レベルがある程度小さくなると、画像データの再生ができなくなる現象である。アナログデータの場合には、このような現象は極めて少なく、デジタルデータの場合には、特に必要な検出部である。従って、フリーズが発生しないようにデジタルデータのレベルを常に検出し、所定の閾値Ｔ３以下となると異常信号を出力する。異常状態判定部２２０は、フリーズを発生させない閾値Ｔ３を設定するためのものであり、この閾値Ｔ３も前もって適宜実験的に定めることは言うまでもない。
【００４２】
映像ノイズ検出部２１６は、映像データに含まれるノイズ（雑音）のレベルを検出する。即ち、Ｓ１／Ｎ１比（Ｓ１：画像データのレベル、Ｎ１：ノイズのレベル）を検出し、このＳ１／Ｎ１比が所定レベルＴ４（閾値）以下になると、画面が見ずらくなるので、異常信号を発生する。異常状態判定部２２０は、閾値Ｔ４を設定するためのものであり、この閾値Ｔ４も前もって適宜実験的に定めることは言うまでもない。
【００４３】
無音検出部２１７は、例えば、音声等が含まれる画像データに音声が欠落したり、あるいは、音声レベルが所定値Ｔ５（閾値）以下の場合、音声が再生できず、無音状態となる。無音検出部２１７は、このような状態を検出し、異常信号を出力する。なお、異常状態判定部２２０は、閾値Ｔ５を設定するためのものであり、この閾値Ｔ５も前もって適宜実験的に定めることは言うまでもない。
【００４４】
音声ノイズ検出部２１８は、音声や音楽等の音のレベルとノイズレベルの比、即ち、Ｓ２／Ｎ２比（Ｓ２：音のレベル、Ｎ２：ノイズのレベル）を検出し、このＳ２／Ｎ２比が所定レベルＴ６（閾値）以下になると、音が聞きづらくなるので、異常信号を発生する。異常状態判定部２２０は、閾値Ｔ６を設定するためのものであり、この閾値Ｔ６も前もって適宜実験的に定めることは言うまでもない。
【００４５】
以上、詳細に説明したが、同期異常検出部２１１、音声ＣＲＣエラー検出部２１２、黒味画像検出部２１３、白味画像検出部２１４、フリーズ画像検出部２１５、映像ノイズ検出部２１６、無音検出部２１７、音声ノイズ検出部２１８は、それぞれ画像データ中に発生する異常を検出する検出部である。なお、本実施例では、いくつかの異常検出部を例示的に示しているが、これらに限定されるものではなく、必要に応じて適宜異常状態信号の検出部を追加することもできる。また、これらの異常検出部、即ち、同期異常検出部２１１、音声ＣＲＣエラー検出部２１２、黒味画像検出部２１３、白味画像検出部２１４、フリーズ画像検出部２１５、映像ノイズ検出部２１６、無音検出部２１７、音声ノイズ検出部２１８は、どれか１つの検出部で異常が検出された場合でも、また、２つ以上の検出部で異常が検出された場合でも同様に動作することは言うまでもない。また、異常状態判定部２２０は、黒味画像検出部２１３、白味画像検出部２１４、フリーズ画像検出部２１５、映像ノイズ検出部２１６、無音検出部２１７、音声ノイズ検出部２１８の各検出部で検出される異常の程度に応じて画像データが異常か、異常でないかを判断する。所謂、放送システムとして余裕度があり、信頼性の高める放送システムの実現が可能となるものである。
【００４６】
従って、異常判定部１２０で検出された異常信号は、インターフェース２１９を介して異常信号出力端子２２１に出力される。その結果、図１でも説明したように、異常が検出されると、異常検出信号出力端子１２１から異常信号を出力し、警報を鳴らしてオペレータに知らせたり、あるいは、送出制御部１０４に異常を知らせる。送出制御部１０４は、この異常信号を受信すると、送出装置１０６を制御し、放送を中止し、例えば、別の放送に切替えたり、前もって用意した画像データを画像サーバ装置１０２からの画像データに代えて放送する等の処置を行う。
【００４７】
図３は、本発明の他の一実施例の概略構成のブロック図を示す。図３において、３０１は、基準時刻データ発生部、３０２は、基準時刻信号発生部であり、その他の符号は、図１および図２の符号に対応する。本実施例では、基準時刻データ発生部３０１は、画像サーバ装置１０２からの画像データの送出開始から時間を計測し、基準時刻信号発生部３０２の時刻信号に基づいてタイムコードを発生し、異常状態判定部２２０にタイムコードを供給する。従って、異常判定部１２０から発生する異常信号は、画像サーバ装置１０２からの画像データとタイムコードで一致し、このタイムコードに基づいて出力端子１２１からの異常信号が出力されるので、送出制御部１０４は、このタイムコード付異常信号に基づいて、画像サーバ装置１０２および送出装置１０６を制御することができる特徴がある。
【００４８】
図４は、本発明の他の一実施例の概略構成を示すブロック図である。この実施例は、２重系を示す画像監視システムである。図４において、４０１は、異常判定部、４０２は、切替部であり、また、各部の符号は、図１および図１３に示す符号に対応する。図１と異なる点は、画像サーバ装置を２台有し、放送時には、２台の画像サーバ装置のいずれかの画像データを送出すると共に２台の画像サーバ装置の画像データが異常判定部４０１に供給されている点である。なお、２台の画像サーバ装置１０２および１０８は、図１３と同様に送出制御部１０４の制御の基に同じように動作していることは言うまでもない。
【００４９】
以下、これについて動作を説明する。送出制御部１０４は、まず、選択部１０５の端子ａを選択し、現用系画像サーバ装置１０２の画像データを送出装置１０６に送出し、例えば、放送を行っている。この時、現用系画像サーバ装置１０２の画像データは、切替部４０２を介して異常判定部４０１にも供給されている。異常判定部４０１は、図２に示すものと同じ構成であり、現用系画像サーバ装置１０２から送出される画像データに異常がないかをリアルタイムに判定している。そして、図２で説明したと同様に、同期異常検出部２１１、音声ＣＲＣエラー検出部２１２、黒味画像検出部２１３、白味画像検出部２１４、フリーズ画像検出部２１５、映像ノイズ検出部２１６、無音検出部２１７、音声ノイズ検出部２１８の少なくとも１つで異常が判定されると、異常判定部４０１の判定出力が送出制御部１０４に供給される。送出制御部１０４は、この異常判定出力を受信すると、選択部１０５の端子ｂを選択し、予備系画像サーバ装置１０８の画像データを送出装置１０６に送出する。また、送出制御部１０４は、切替部４０２を制御して予備系画像サーバ装置１０８の画像データを切替部４０２を介して異常判定部４０１に供給し、引続き予備系画像サーバ装置１０８の画像データの異常判定を継続する。このように構成すると、オペレータが常に放送システムのモニタ１２０５を監視していなくとも、異常が検出されると自動的に予備系画像サーバ装置１０９に切替わるので、切替の時間が短縮でき、また、オペレータの労力を軽減できる特徴があり、公共の放送システムとしては優れたシステムである。
【００５０】
図５は、本発明の他の一実施例の概略構成を示すブロック図である。この実施例は、番組素材の収録を示すものである。図５において、５０１は、番組素材供給部、５０２は、画像サーバ装置、５０３は、記録部、５０４は、異常判定部、５０５は、画像データ出力端子である。番組素材供給部５０１は、先に説明したようにビデオカメラで撮影された放送素材やこれら放送素材を加工、編集したものを記録した記録媒体、あるいは、カメラで撮影された映像やＣＭ製作スタジオ等からの通信伝送路による放送素材が供給される供給部である。番組素材供給部５０１からの画像データは、画像サーバ装置５０２の記録部５０３に記録される。一方、番組素材供給部５０１からの画像データは、異常判定部５０４に供給され、その出力も画像サーバ装置５０２の記憶部５０３に記録される。なお、画像サーバ装置５０２の記憶部５０３への記録は、前述した番組収録の場合と同様に、例えば、図１５に示す番組のスケジュールに従って収録されることは言うまでもない。そして、画像データを記録部５０３に登録する際、異常判定部５０４で検出した異常データの種類、異常の発生している場所（例えば、画像の時間コード等）をデータとして作成し、画像サーバに登録する。具体的には、異常発生場所データ、異常の項目、異常の値等を１つのデータとして記録する方法あるいは映像（音声を含む。）データのデータストリームの中の予め決められたデータ領域に書き込む等が考えられる。データストリーム中にデータを記録した場合、再生時に画像と同時に異常検出データが得られるため、異常発生場所のデータを省略して記録することも可能であり、また、この場合、異常を検出した際に、異常発生場所のデータと異常発生位置の比較を行わなくても済む等の特徴がある。データのストリーム中に画像異常データを書き込む場合、放送システムで一般的な画像データ伝送方式であるＨＤ−ＳＤＩ（High Definition-Serial Digital interface）、ＳＤ−ＳＤＩ（Standard Definition Serial Digital interface）のシリアルデジタル映像、音声信号のフォーマット中のアンシラリ領域と呼ばれる領域中のユーザデータ領域等を使用して記録することが出来る。これらについては、後述する。
【００５１】
次に、図５に示す実施例の動作を説明する。番組素材供給部５０１からの画像データは、画像サーバ装置５０２の記録部５０３に供給され、記録される。異常判定部５０４の構成は、図２で示されるような異常検出部を具えており、入力端子２１０には、番組素材供給部５０１からの画像データが供給される。従って、異常判定部５０４では、各画像データの異常の有無が判定される。即ち、同期異常検出部２１１、音声ＣＲＣエラー検出部２１２、黒味画像検出部２１３、白味画像検出部２１４、フリーズ画像検出部２１５、映像ノイズ検出部２１６、無音検出部２１７、音声ノイズ検出部２１８の少なくとも１つで異常が判定されると、異常判定部５０４の判定出力が画像サーバ装置の記憶部５０３に記憶される。
【００５２】
その記録状態の一実施例を図１６に示す。なお、図１６は、記録状態を模式的に示すもので、実際は、アナログ信号あるいはデジタル信号として記録されることは言うまでもない。図１６において、１６０１は、例えば、画像のフレーム番号（フィールド番号でも良い。）、１６０２は、収録画像データ、１６０３は、異常判定部５０４で判定された判定結果の記録部である。例えば、フレーム番号１０００１の画像データ１６０２−１は、正常であるので、判定結果１６０３は、フラッグ１１（正常）が記録される。同様に、フレーム番号１０００２の画像データ１６０２−２は、正常であるので、判定結果１６０３は、フラッグ１１（正常）が記録される。しかしながら、フレーム番号１０００３の画像データ１６０２−３は、例えば、黒味画像検出部２１３の検出結果が異常である場合、即ち、画面全体が黒味がかった画像であるので、異常判定部５０４から異常信号が出力され、画像サーバ装置５０２の記録部５０３に画像の異常状態データが記録される。従って、判定結果１６０３は、フラッグ０１（異常）が記録される。同様にフレーム番号１０００４の画像データ１６０２−４も異常であるので、判定結果１６０３は、フラッグ０１（異常）が記録される。このように画像サーバ装置５０２の記録部５０３には、全ての画像データに対してフレーム番号１６０１、画像データ１６０２および判定結果１６０３が記録される。この結果、画像サーバ装置５０２の記録部５０３に収録された画像データには、既に、フレーム番号と、そのフレーム番号に対応する画像の異常の有無が記録されるので、画像サーバ装置５０２から放送される画像データは、出力される時点で画像データの異常の有無を知ることができるので、誤って異常な画像データを送出するのを防ぐことができる。なお、上記実施例では、画像データに対応するフレーム番号で説明したが、フレーム番号に限られるものではなく、時間情報で記録することも容易に実施できるものである。
【００５３】
図６は、図５の具体的な構成の一実施例を示すブロック図である。図６において、６０１は、登録制御部、６０２は、基準時刻信号発生部、６０３は、時刻データ作成部、６０４は、異常信号出力端子である。なお、各部の符号は、図５の符号に対応する。また、異常判定部５０４は、図２に示す異常判定部１２０に対応する。
【００５４】
図６に示す実施例の動作を説明する。登録制御部６０１は、例えば、オペレータが操作する操作部（図示せず。）を有し、番組素材を画像サーバ装置５０２に収録する場合に操作する。即ち、登録制御部６０１は、画像サーバ装置５０２を制御して、例えば、図１５に示す放送のタイムスケジュールに基づいて番組を収録する。図１５のＡ社のＣＭを収録する場合、開始時間１２：００：００から１５秒間の収録をするため、登録制御部６０１は、画像データの登録開始指示および登録終了指示等を行う。これにより番組素材供給部５０１からＡ社のＣＭが番組素材として画像、音声が画像サーバ装置５０２に収録される。この画像データは、同時に異常判定部５０４にも供給される。異常判定部５０４では、図２で説明したと同様に同期異常検出部２１１、音声ＣＲＣエラー検出部２１２、黒味画像検出部２１３、白味画像検出部２１４、フリーズ画像検出部２１５、映像ノイズ検出部２１６、無音検出部２１７、音声ノイズ検出部２１８の少なくとも１つで異常が判定されると、異常判定部５０４の判定出力が出力端子６０４から出力され、警報器に送られ、警報を鳴らすことでオペレータに異常を知らせることができる。
【００５５】
一方、時刻データ作成部６０３は、登録制御部６０１からの登録開始指示および基準時刻信号発生部６０２の時刻を基準にして、経過時間を計測し、経過時間情報を異常状態判定部２２０に供給する。経過時間情報は、例えば、時：分：秒：フレームのデータで構成され、従来周知のＶＴＲ等で使用されているようなタイムコードを作成する。そして、各異常検出部からの異常検出信号に時刻データ作成部６０３からの時刻データを付け、時刻付異常状態データを作成し、記録部５０３に記録する。これは、例えば、図１６に示すフレーム番号にタイムコードを付したようなものとなる。即ち、ＮＴＳＣ方式のフレーム単位の記録とすると、１２：００：００に登録が開始され、１０００１フレームは、（１／３０）秒、１０００２フレームは、（２／３０）秒、１０００３フレームは、（３／３０）秒、・・・と言うようなタイムコードが付されて記録される。なお、図１６では、例えば、（３／３０）秒、（４／３０）秒の画像データが異常データであることを示している。また、フィールド単位の記録の場合には、各画像データは、（１／６０）秒となる。このように時刻データ作成部６０３からの時刻データが時刻付異常状態データに添付されて画像サーバ装置５０２の記録部５０３に記録され、タイムコードと異常画像データが対応して記録されるので、異常画像データを容易に検出が可能である。なお、画像データにタイムコードを添付して記録することも容易に実施できる。
【００５６】
図７は、本発明の更に他の一実施例の概略構成を示すブロック図である。図７において、７０１は、基準時刻データ発生部であり、他の符号は、図６に示す各部の符号に対応する。この実施例では、基準時刻データ発生部７０１は、番組素材供給部５０１から供給される画像データに付されているタイムコードを利用する方式である。このように番組素材供給部５０１からの画像データに付されているタイムコードを利用する場合、異常判定部５０４から出力される時刻付異常状態データの時刻が画像データ（画像、音声データ）のタイムコードと一致するので、再生時の異常確認の際、時間軸上の位置が絶対値で示されるため、異常データとの比較を簡単に行うことができると言う特徴がある。なお、基準時刻データ発生部７０１を除く他の部分の動作は、図６に示す実施例と同様であるので、詳細な説明は省略する。
【００５７】
図８は、本発明の更に他の一実施例の概略構成のブロック図を示す。図８において、８０１は、データ多重化部であり、その他の符号は、図７の各部の符号に対応する。図７では、異常判定部５０４からの時刻付異常状態データは、画像データが記録される記録部５０３の記録領域を分けて記録している。例えば、図１６に記録状態を模式的に示しているが、フレーム番号、タイムコードおよび画像データは、例えば、タイムコードをキーとして、記憶部５０３の所定のアドレスにそれぞれ記録されている。しかしながら図８に示す実施例では、異常状態データを画像データの垂直、または、水平の帰線時間（アンシラリ領域と呼ばれている。）にデータを多重化して、画像サーバ装置５０２に登録する方式を示している。なお、データ多重化部８０１を除く他の部分は、図７と同じであるので、詳細な説明は省略する。
【００５８】
以下データ多重化部８０１について説明する。図１７は、ＨＤ−ＳＤＩ方式のフォーマットの番組素材を説明するための図である。ＨＤ−ＳＤＩ方式のフォーマットの番組素材の信号は、ＡＲＩＢ  ＳＴＤ  ＢＴＡ  Ｓ−００５ＢおよびＡＲＩＢ  ＳＴＤ  ＢＴＡ  Ｓ−００６Ｂで定められており、図１７に示すような構成となっている。即ち、縦方向に映像のライン番号のように１〜１１２５ライン、横方向に映像のサンプル番号０〜２１９９と定められている。そして、映像ラインは、ＥＡＶ（End of Active Video：映像サンプル番号１９２０で示される。）で始まり、デジタル有効ライン（有効映像領域）の最後のワード（映像サンプル番号１９１９）で終了する。映像サンプル番号は、ビット並列インターフェースの各データ系列におけるデジタル有効ラインの第１ワードを映像サンプル番号０と規定されている。そして、この規格は、補助データパケットを伝送する機器に適用される。補助データとは、映像信号の水平ブランキング期間を利用して伝送されるデータ、例えば、音声データやタイムコードデータである。また、図１７において、網掛け部分は、補助データ伝送領域を示し、この補助データ伝送領域は、ユーザが自由に使用できる領域が設けられている。従って、この領域を使用する。
【００５９】
従って、図８では、番組素材供給部５０１からの画像データは、図１７で説明したＨＤ−ＳＤＩ方式のフォーマットに変換された画像データが画像サーバ装置５０２に供給される。なお、ＨＤ−ＳＤＩ方式のフォーマット変換部は、省略してある。従って、データ多重化部８０１では、素材番組供給部５０１からの画像データ（ここでは、ＨＤ−ＳＤＩ方式のフォーマットに変換された画像データを言う。）に図１７に示す網掛け部分の補助データ伝送領域の所定領域に異常判定部５０４から出力される異常状態データを多重化し、画像サーバ装置５０２の記録部５０３に記録される。従って、この方式の場合、画像データの一部に異常状態データが記録されるため、画像データの時間軸と同期して異常状態データが記録される。そのため、再生時に異常状態を確認する場合、時間軸を考慮せずに異常状態を検出できるので、再生時の異常検出が容易であるという利点がある。なお、上記実施例では、ＨＤ−ＳＤＩ方式のフォーマットの番組素材について説明したが、これに限定されるものではなく、ＳＤ−ＳＤＩ方式のフォーマットの番組素材等についても同様に実施できることは言うまでもない。
【００６０】
図９は、本発明の更に他の一実施例の概略構成のブロック図を示す。図５に示す実施例では、番組素材を画像サーバ装置に収録する場合、画像データに異常があれば、異常状態データを画像データと共に画像サーバ装置５０２に記録することを説明した。図９に示す実施例は、図５で説明した画像サーバ装置５０２からの画像データを放送する場合の実施例を示している。図９において、９０１は、異常判定部、９０２は、異常有無設定端子であり、その他の符号は、図１および図５の各部の符号に対応する。
【００６１】
以下動作について説明する。送出制御部１０４の制御に基づいて画像サーバ装置５０２からの画像データが送出装置１０６に供給され、放送等が行われる。この時、画像サーバ装置５０２の記録部５０３に記録されている画像データは、異常判定部９０１にも供給される。一方、図５でも説明したように異常判定部５０４で異常と判定された画像データには異常状態データが記録部５０３に記録されている。従って、送出の為に画像サーバ装置５０２から画像データが読み出される時に同時に記録装置５０３から異常状態データが読み出され、異常判定部９０１に供給される。
【００６２】
異常判定部９０１の具体的な一実施例を図１８に示す。図１８において、９０３は、画像サーバ装置５０２の記録部５０３からの異常状態データが供給される入力端子である。９０４は、異常状態データ検出部、９０５は、異常有無設定部である。なお、その他の符号は、図２の各部の符号に対応する。ここで、画像サーバ装置５０２からの画像データは、入力端子２１０に供給され、異常信号出力端子２２１は、図９の１２１に対応している。
【００６３】
以下、異常判定部９０１の動作を説明する。画像サーバ装置５０２の記憶部５０３からの画像データは、入力端子２１０に供給され、その画像データは、図２で説明したように例えば、同期異常検出部２１１、音声ＣＲＣエラー検出部２１２、黒味画像検出部２１３、白味画像検出部２１４、フリーズ画像検出部２１５、映像ノイズ検出部２１６、無音検出部２１７、音声ノイズ検出部２１８で、それぞれ画像データ中に発生する異常を検出する。そして、少なくとも１つの検出部で異常が検出された場合は、異常状態判定部２２０で所定の範囲を超える異常かどうかを判定し、異常の場合には、異常信号が出力端子２２１から出力される。このような動作は、図２で説明した場合と同様である。なお、図９に示す画像サーバ装置５０２には、図５で示したように画像データを収録する時に異常判定部５０４で異常を判定して異常状態データを記録部５０３に記憶しているが、再度、異常判定部９０１で同様な異常判定を行う理由は、異常判定部５０４で画像データの異常を判定した後に、伝送路を伝送し、画像サーバ装置５０２に収録し、更に、収録された画像データを読み出し、伝送することになるため、通信システムの異常、データベースの異常あるいはデータベースに対する編集操作による異常等がこの段階でも起こり得る。従って、これにより発生する異常を検出するためである。
【００６４】
異常状態データ検出部９０４は、画像サーバ装置５０２の記録部５０３から出力される異常状態データを監視し、例えば、図１６で説明したように異常状態データ、即ち、判定結果１６０３にフラッグ０１（異常）が記録されている画像データを監視する機能を有する。例えば、画像データ１６０２−３、１６０２−４が入力されると、異常状態データと判断し、異常状態判定部２２０に供給され、出力端子１２１から異常信号が出力される。従って、この信号で警報装置（図示せず。）を駆動してオペレータに異常を知らせることができる。また、この信号は、送出制御部１０４に供給され、送出装置１０６を制御して異常な画像データの送出を停止し、別の画像データに変更して送出する等の処置を行うことができる。
【００６５】
次に、異常有無設定部９０５の動作を説明する。いままでの放送では、ノンリニア放送やＶＴＲ放送等の送出装置などの故障により送出されてしまうような画像、例えば、無音画像、黒味画像、静止画像、ストップモーション、早い動きの画像等が、最近では、放送技術等の進歩により、放送の演出や効果のために無音画像、黒味画像、静止画像、ストップモーション、早い動きの画像等を放送映像として用いられる場合が多くなってきている。しかしながら上記各実施例で説明した異常判定部では、これら放送の演出や効果のための無音画像、黒味画像、静止画像、ストップモーション、早い動きの画像等が異常と判断され、放送が停止される恐れが発生する。このような映像データは、画像データの異常なのか、あるいは、正常な画像データなのかを目視は、勿論のこと機械的にも判断することが難しい場合が増えてきている。このように放送の演出や効果のための無音画像、黒味画像、静止画像、ストップモーション、早い動きの画像等は、異常と判断しないようにする必要がある。
【００６６】
本実施例は、これを解決するものであり、これについて図１９を用いて説明する。図１９において、各部の符号は、図１６の各部の符号に対応する。図１９において、画像データ１６０２−１および画像データ１６０２−２に、例えば、演出効果として画面全体に格子状の縞を施した場合、この格子状の縞模様が、例えば、映像ノイズ検出部２１７で検出されるような演出効果画面とすると、図５で示す収録時の異常判定部５０４あるいは図９で示す放送時の異常判定部９０１でも異常と判定される恐れがある。従って、このように、演出効果として、例えば、画面全体に格子状の縞を施した場合の画像データは、番組素材の編集の段階で前もって演出効果の施された画像データと分かっているので、異常有無設定部９０５では、図１９の画像データ１６０２−１および１６０２−２の判定結果１６０３には、演出効果を表すフラッグ２２を付加する。これによって異常状態判定部２２０では、異常と判断せず、出力端子２２１からは異常信号が出力されない。なお、異常有無設定部９０５は、例えば、シフトレジスタで構成され、操作器（図示せず。）を操作して、入力端子９０２から画像データのフレーム番号を指定し、そのフレーム番号の演出効果を表すフラッグを「２２」に設定することで実現できる。
【００６７】
図１０は、図９に示す実施例の他の一実施例の概略構成のブロック図を示す。図９に示す実施例では、画像サーバ装置５０２の記録部５０３には、異常状態データは、画像データと区別（記録領域が別）して記録されている場合であり、この画像サーバ装置５０２から放送する場合について説明した。図１０では、図８に示すようにＨＤ−ＳＤＩ方式またはＳＤ−ＳＤＩ方式のフォーマットの番組素材に異常状態データを重畳して記録部５０３に記録した場合の画像監視システムについて説明したものである。
【００６８】
図１０において、１００１は、異常判定部、１００２は、異常状態データ検出部である。なお、異常判定部１００１の異常検出部等は、図２に示す異常判定部１２０に対応し、各部の符号は、図１、図２および図９の各部の符号に対応する。図１０の動作に付いて説明する。送出制御部１０４の制御により画像サーバ装置５０２は、動作し、記録部５０３から、例えば、異常状態データが重畳されたＨＤ−ＳＤＩ方式のフォーマットの番組素材が異常判定部１００１に供給される。異常判定部１００１では、図２で説明したと同様に、画像データの異常が例えば、同期異常検出部２１１、音声ＣＲＣエラー検出部２１２、黒味画像検出部２１３、白味画像検出部２１４、フリーズ画像検出部２１５、映像ノイズ検出部２１６、無音検出部２１７、音声ノイズ検出部２１８で、それぞれ発生する異常を検出する。そして、少なくとも１つの検出部で異常が検出されると、その出力が異常状態判定部２２０に供給される。
【００６９】
一方、異常状態データ検出部１００２は、ＨＤ−ＳＤＩ方式のフォーマットの番組素材に重畳されている異常状態データを検出し、異常状態判定部２２０に供給する。従って、異常状態データ検出部１００２は、先の番組素材の収録時に異常と判断され、異常状態データとして記録部５０３に記録されている異常状態データが検出され、異常状態判定部２２０に出力され、上述と同様に異常信号出力端子１２１から出力される。このようにＨＤ−ＳＤＩ方式のフォーマットのアンシラリ領域に異常状態データが記録され、映像（音声を含む）データに多重化されているため、異常状態データ検出部１００２で検出された異常状態データは、画像データ（ストリームデータとも言われる。）に付加したものから分離されるので、実際の異常検出箇所（フレームまたはフィールド、あるいは時間）と異常状態データの位置（フレームまたはフィールド、あるいは時間）は、ほぼ一致する。従って、検出時に時間的な一致を考慮する必要がない等の特徴があり、時刻データを新に生成する等の煩雑さがなくなる。また、映像、音声、異常状態データが１つのファイルとなるため、ファイルでコピーしたり、放送局間で放送素材を転送した場合においても、同期等の問題もなく、データの授受が可能となる。
【００７０】
図１１は、本発明の更に他の一実施例の概略構成のブロック部を示す。即ち、図９に示す実施例は、画像サーバ装置５０２を１台具えた一重系の画像監視システムであるが、図１１は、これを二重系としたものである。図１１において、５０２−１、５０２−２は、画像サーバ装置、５０３−１、５０３−２は、記録部であり、図５で示される番組素材の画像データおよび異常状態データがそれぞれ同じように記録されている。１１０１は、切替部であり、送出制御部１０４からの制御信号により画像サーバ装置５０２−１からの画像データおよび異常状態データと画像サーバ装置５０２−２からの画像データおよび異常状態データを切替え、異常判定部９０１に供給する。例えば、１１０２は、選択された画像サーバ装置５０２−１の画像データであり、１１０３は、選択された画像サーバ装置５０２−１の異常状態データを表している。なお、各部の符号は、図４および図９の各部の符号に対応する。
【００７１】
この画像監視システムの動作を説明する。まず、送出制御部１０４は、選択部１０５を制御して端子ａ側を選択する。これにより現用系画像サーバ装置５０２−１からの画像データが選択部１０５を介して送出装置１０６に供給され、放送が開始される。同時に、切替部１１０１も制御され、現用系画像サーバ装置５０２−１からの画像データおよび異常状態データが切替部１１０１を介して異常判定部９０１に供給され、図９で説明したと同じ動作をして異常信号が出力端子１２１から出力される。一方、異常信号は、送出制御部１０４にも供給される。異常信号を受けた送出制御部１０４は、選択部１０５の端子ｂを選択し、予備系画像サーバ装置５０２−２からの画像データを選択部１０５を介して送出装置１０６に供給する。これによって異常が発生した現用系画像サーバ装置５０２−１から予備系画像サーバ装置５０２−２に切替わり、正常な放送を継続することができる。また、同時に切替部１１０１も切替えられ、予備系画像サーバ装置５０２−２からの画像データおよび異常状態データが切替部１１０１を介して異常判定部９０１に供給され、図９で説明したと同じ動作をして異常信号が出力端子１２１から出力される。以上のように構成することにより２重系の画像監視システムが構成でき、画像データに異常が発生すると、自動的に画像サーバ装置が切替わるので、オペレータが常時モニタを見ながら画像を監視すると言うこともなくなり、省力化で、迅速に対応できるシステムとなる。
【００７２】
図２０は、本発明の更に他の一実施例の概略構成のブロック図である。図２０において、２００１は、異常判定部、２００２は、閾値Ｔ７の設定端子である。なお、各部の符号は、図１および図４に示す符号に対応する。１０２−１および１０２−２は、同一の画像データが記録された画像サーバ装置、また、１０３−１および１０３−２は、同一の画像データが記録された記録部である。そしてこの画像監視システムは、２重系の画像監視システムを構成している。図２０で示される画像監視システムの異常判定部２００１は、上記各実施例で説明した異常判定部の構成とは異なった構成を有している。異常判定部２００１の構成を図２１に示す。図２１において、異常判定部２００１は、比較部２１０１、閾値設定部２１０２で構成されている。比較部２１０１は、画像サーバ装置１０２−１からの画像データと画像サーバ装置１０２−２からの画像データを比較するもので、比較演算回路あるいは差分演算回路で構成されている。
【００７３】
以下、この実施例の動作を説明する。異常判定部２００１には、現用系画像サーバ装置１０２−１からの画像データ（音声を含む）Ｄ１が入力され、同時に予備系画像サーバ装置５０２−２からの画像データ（音声を含む）Ｄ２が入力される。異常判定部２００１では、画像データＤ１および画像データＤ２が比較される。即ち、画像データＤ１および画像データＤ２が比較部２１０１で比較され、例えば、画像データＤ１および画像データＤ２の差分信号が演算される。２００２は、比較演算結果が所定値以上かどうかを決定するための閾値Ｔ７を設定するための設定端子であり、例えば、コンピュータの操作部（図示せず。）で構成される。
【００７４】
而して、現用系画像サーバ装置１０２−１の記憶部１０３−１および予備系画像サーバ装置１０２−２の記憶部１０３−２には、前述したように全く同じ画像データが記録されているので、もし、異常がない正常な画像データであれば、画像データＤ１および画像データＤ２は、ほぼ同じレベルとなる。従って、画像データＤ１および画像データＤ２を比較部２００１で比較演算した結果の出力は、ほぼ零となる。即ち、異常信号が端子１２１からは出力されない。このように現用系画像サーバ装置１０２−１、予備系画像サーバ装置１０２−２および伝送系からなる２重化システムでは、同時に異常となる確率は非常に小さいので、比較部２１０１で画像データＤ１および画像データＤ２を比較演算するだけで簡単に異常を検出することができる。
【００７５】
なお、閾値Ｔ７の設定部２１０２は、画像データＤ１および画像データＤ２を比較部２１０１で比較演算した場合、伝送路の損失や増幅器等の回路常数の違いから必ずしも完全に一致しないので、比較演算出力が零と言うことはない。従って、比較演算結果が所定のレベル以上の場合に異常と判断するために閾値Ｔ７を設定する。なお、閾値Ｔ７は、システム構成等により実験的に適宜設定されることは言うまでもない。このように構成すると、いずれかの画像サーバ装置に異常が発生すると、画像データＤ１および画像データＤ２のレベルは、大きく異なるので出力端子１２１から異常信号が出力されるので、この信号を異常信号として出力端子１２１から出力すると同時に送出制御部１０４にも供給する。これにより異常が容易に検出できるので、先の実施例で説明した同期異常検出部２１１、音声ＣＲＣエラー検出部２１２、黒味画像検出部２１３、白味画像検出部２１４、フリーズ画像検出部２１５、映像ノイズ検出部２１６、無音検出部２１７、音声ノイズ検出部２１８等の検出部を設けなくても異常を検出できる特徴がある。なお、画像データＤ１および画像データＤ２の比較演算は、種々のものがあるが、例えば、同期信号、黒味画像、白味画像、フリーズ画像、映像ノイズ、無音、音声ノイズ等の少なくとも１種類あるいは２種類以上の組合わせにより検出するように構成することもできる。
【００７６】
更に、上記のように構成すると、前述したように放送の演出や効果のために無音画像、黒味画像、静止画像、ストップモーション、早い動きの画像等を放送映像として用いられる場合であっても、これらが異常画像か、正常な放送の演出や効果のための画像化を容易に判別することが可能である。即ち、上述の放送の演出や効果のために無音画像、黒味画像、静止画像、ストップモーション、早い動きの画像等を放送映像として用いられる場合、現用系画像サーバ装置１０２−１の記憶部１０３−１および予備系画像サーバ装置１０２−２の記憶部１０３−２に同じ画像データが記録される。従って、比較部２１０１での画像データＤ１および画像データＤ２の比較演算出力は、ほぼ零となり、異常信号が出力されることはない。このように放送の演出や効果のために無音画像、黒味画像、静止画像、ストップモーション、早い動きの画像等を放送映像として用いられる場合でも、正常画像と判断できるので、前もって正常画像であると指定する手間が省け、編集作業での省力化、指定ミス等の誤編集をなくすことができる効果がある。なお、上記の実施例では、現用系画像サーバ装置１０２−１の記憶部１０３−１および予備系画像サーバ装置１０２−２の記憶部１０３−２には、異常状態データを記録していない画像サーバ装置で説明したが、図５で説明した画像サーバ装置５０２および記録部５０３を用いることも容易に実施できるものである。
【００７７】
以上、本発明について詳細に説明したが、本発明は、ここに記載された画像監視システムの実施例に限定されるものではなく、上記以外の放送システムや画像編集システムに広く適応することが出来ることは、言うまでも無い。
【図面の簡単な説明】
【００７８】
【図１】本発明の第１の基本原理の一実施例の概略構成を示すブロック図である。
【図２】図１で示す基本原理の一実施例の異常判定部の具体的構成を示すブロック図である。
【図３】本発明の第１の基本原理の他の一実施例の概略構成を示すブロック図である。
【図４】本発明の第１の基本原理の更に他の一実施例の概略構成を示すブロック図である。
【図５】本発明の第２の基本原理の一実施例の概略構成を示すブロック図である。
【図６】本発明の第２の基本原理の一実施例の具体的構成を示すブロック図である。
【図７】本発明の第２の基本原理の他の一実施例の具体的構成を示すブロック図である。
【図８】本発明の第２の基本原理の更に他の一実施例の具体的構成を示すブロック図である。
【図９】本発明の第３の基本原理の一実施例の概略構成を示すブロック図である。
【図１０】本発明の第３の基本原理の他の一実施例の具体的構成を示すブロック図である。
【図１１】本発明の第４の基本原理の一実施例の概略構成を示すブロック図である。
【図１２】従来の放送システムの一例を示すブロック図である。
【図１３】従来の放送システムの２重系を示すブロック図である。
【図１４】従来の放送システムの他の２重系を示すブロック図である。
【図１５】従来の放送システムの番組スケジュールを説明するための図である。
【図１６】本発明の第２の基本原理を説明するための図である。
【図１７】図１８に示す本発明の一実施例を説明するための図である。
【図１８】図９で示す基本原理の一実施例の異常判定部の具体的構成を示すブロック図である。
【図１９】図９に示す基本原理の一実施例の動作を説明するための図である。
【図２０】本発明の更の他の一実施例を説明するための図である。
【図２１】図２０で示す一実施例の異常判定部の具体的構成を示すブロック図である。
【符号の説明】
【００７９】
１０１、１０７、２１０、９０３：入力端子、１０２、１０８、５０２：画像サーバ装置、１０３、１０９、５０３：記録部、１０４、１２０３：送出制御部、１０５：選択部、１０６、１２０６：送出装置、１２０、４０１、５０４、９０１、１１０１、２００１：異常判定部、２１１：同期異常検出部、２１２：音声ＣＲＣエラー検出部、２１３：黒味画像検出部、２１４：白味画像検出部、２１５：フリーズ画像検出部、２１６：映像ノイズ検出部、２１７：無音検出部、２１８：音声ノイズ検出部、２１９：インターフェース（Ｉ／Ｆ）、２２０：異常状態判定部、２２１、６０４：異常信号出力端子、３０１：基準時刻データ発生部、３０２、６０２：基準時刻信号発生部、４０２：切替部、５０１：番組素材供給部、５０５：出力端子、６０１：登録制御部、６０３：時刻データ作成部、７０１：基準時刻データ発生部、８０１：データ多重部、９０２：異常有無設定端子、９０４、１００２：異常状態データ検出部、９０５：異常有無設定部、１１０２：設定端子、１２０１：放送管理コンピュータ、１２０２：自動放送システム、１２０４：収録素材のデータベース、１２０５：モニタ、１２０７：番組素材、１６０１：画像のフレーム番号、１６０２：収録画像データ、１６０３：判定結果の記録部、２００２：閾値設定端子、２１０１：比較部、２１０２：閾値設定部。
【図１】
2007028299.tif 000003
【図２】
2007028299.tif 000004
【図３】
2007028299.tif 000005
【図４】
2007028299.tif 000006
【図５】
2007028299.tif 000007
【図６】
2007028299.tif 000008
【図７】
2007028299.tif 000009
【図８】
2007028299.tif 000010
【図９】
2007028299.tif 000011
【図１０】
2007028299.tif 000012
【図１１】
2007028299.tif 000013
【図１２】
2007028299.tif 000014
【図１３】
2007028299.tif 000015
【図１４】
2007028299.tif 000016
【図１５】
2007028299.tif 000017
【図１６】
2007028299.tif 000018
【図１７】
2007028299.tif 000019
【図１８】
2007028299.tif 000020
【図１９】
2007028299.tif 000021
【図２０】
2007028299.tif 000022
【図２１】
2007028299.tif 000023